(57)【特許請求の範囲】
【請求項１】
雷サージ波形から標準雷インパルス波形に換算するための標準波形換算値を算出する波形評価式であって複数の絶縁媒体に各々個別の波形評価式を各絶縁媒体に関連付けて記憶する波形評価式記憶部と、
雷サージ波形の入力データを受付ける波形入力受付部と、
ユーザーが絶縁媒体を選択するための絶縁媒体選択メニューを提示する絶縁媒体選択メニュー提示部と、
前記波形評価式記憶部に記憶される複数の波形評価式の中から、前記絶縁媒体選択メニューから選択された絶縁媒体に関連付けられた波形評価式を選択する波形評価式選択部と、
前記波形評価式選択部が選択した波形評価式を使用して前記雷サージ波形の入力データから標準波形換算値を算出する波形評価部と、
前記雷サージ波形の入力データから算出された標準波形換算値に基づいた評価結果を出力する評価結果出力部と、
を備える雷波形評価装置。
【請求項２】
前記絶縁媒体選択メニューから選択された絶縁媒体が正しいか否かをユーザーに確認する絶縁媒体確認部、
をさらに備える請求項１に記載の雷波形評価装置。
【請求項３】
前記評価結果出力部は、前記雷サージ波形の入力データから算出された標準波形換算値に基づいた電気機器の絶縁仕様の評価結果を出力する、
請求項１又は２に記載の雷波形評価装置。
【請求項４】
前記評価結果出力部は、電気機器の絶縁仕様の標準雷インパルス波形の規格値の一覧の中から、前記雷サージ波形の入力データから算出された標準波形換算値が適用された標準雷インパルス波形よりも一段階高性能の規格値を推奨値として出力する、
請求項３に記載の雷波形評価装置。
【請求項５】
前記波形評価部は、複数の電界利用率毎に前記雷サージ波形の入力データから標準波形換算値を算出し、
前記評価結果出力部は、各電界利用率の標準波形換算値に基づいた各評価結果の比較データを出力する、
請求項１から４のいずれか１項に記載の雷波形評価装置。
【請求項６】
雷サージ波形から標準雷インパルス波形に換算するための標準波形換算値を算出する波形評価式であって複数の絶縁媒体に各々個別の波形評価式を各絶縁媒体に関連付けて記憶する波形評価式記憶ステップと、
雷サージ波形の入力データを受付ける波形入力受付ステップと、
ユーザーが絶縁媒体を選択するための絶縁媒体選択メニューを提示する絶縁媒体選択メニュー提示ステップと、
前記波形評価式記憶ステップで記憶された複数の波形評価式の中から、前記絶縁媒体選択メニューから選択された絶縁媒体に関連付けられた波形評価式を選択する波形評価式選択ステップと、
前記波形評価式選択ステップが選択した波形評価式を使用して前記雷サージ波形の入力データから標準波形換算値を算出する波形評価ステップと、
前記雷サージ波形の入力データから算出された標準波形換算値に基づいた評価結果を出力する評価結果出力ステップと、
を含む雷波形評価方法。
【請求項７】
コンピュータに、
雷サージ波形から標準雷インパルス波形に換算するための標準波形換算値を算出する波形評価式であって複数の絶縁媒体に各々個別の波形評価式を各絶縁媒体に関連付けて記憶する波形評価式記憶ステップと、
雷サージ波形の入力データを受付ける波形入力受付ステップと、
ユーザーが絶縁媒体を選択するための絶縁媒体選択メニューを提示する絶縁媒体選択メニュー提示ステップと、
前記波形評価式記憶ステップで記憶された複数の波形評価式の中から、前記絶縁媒体選択メニューから選択された絶縁媒体に関連付けられた波形評価式を選択する波形評価式選択ステップと、
前記波形評価式選択ステップが選択した波形評価式を使用して前記雷サージ波形の入力データから標準波形換算値を算出する波形評価ステップと、
前記雷サージ波形の入力データから算出された標準波形換算値に基づいた評価結果を出力する評価結果出力ステップと、
を実行させるためのコンピュータプログラム。
【発明の詳細な説明】
【技術分野】
【０００１】
本発明は、雷波形評価装置、雷波形評価方法及びコンピュータプログラムに関する。
【背景技術】
【０００２】
従来、雷サージ波形から標準雷インパルス波形に換算するための標準波形換算値を算出する波形評価式として絶縁媒体毎に個別の波形評価式が例えば非特許文献１−４に記載されている。非特許文献１「図８、非標準波形評価法のアルゴリズム」には、絶縁媒体が油である場合の波形評価式が記載されている。非特許文献２「図７、非標準波形評価法のアルゴリズム」には、絶縁媒体が六フッ化硫黄（ＳＦ６）ガスである場合の波形評価式が記載されている。非特許文献３「図８、波形評価アルゴリズム」には、絶縁媒体が二酸化炭素（ＣＯ２）ガスである場合の波形評価式が記載されている。非特許文献４「図１２、波形評価アルゴリズム」には、絶縁媒体が窒素（Ｎ２）ガスである場合の波形評価式が記載されている。
【先行技術文献】
【非特許文献】
【０００３】
【非特許文献１】岡部成光、湯浅禎之、“油入変圧器における非標準雷インパルス波形の評価法”、電気学会論文誌、123巻 12号、p.1580-1586、2003年
【非特許文献２】岡部成光、湯浅禎之、“GISにおける非標準雷インパルス波形の評価法”、電気学会論文誌、124巻 1号、p.156-161、2004年
【非特許文献３】金子周平、横井哲彦、岡部成光、“CO2ガスの非標準雷インパルス振動波形に対する絶縁特性  −CO2ガスにおける非標準雷インパルス波形の評価法−”、電気学会論文誌、126巻 7号、p.701-707、2006年
【非特許文献４】金子周平、岡部成光、“N2ガスの非標準雷インパルス波形に対する絶縁特性と評価法”、電気学会論文誌、127巻 7号、p.854-862、2007年
【発明の概要】
【発明が解決しようとする課題】
【０００４】
電気機器として例えば変電設備を導入する際に、変電設備に要求される絶縁仕様が決定される。この絶縁仕様の一つとして、ＪＥＣ−０２０２−１９９４「インパルス電圧・電流試験一般」に規定される標準雷インパルス波形を印加電圧波形に用いた雷インパルス耐電圧試験において実際に印加電圧波形に用いられる標準雷インパルス波形が絶縁仕様に規定される。
【０００５】
このとき、変電設備の絶縁仕様を決定する作業者は、導入する変電設備に使用される絶縁媒体に対応する波形評価式が記載されている文献を探し、見つかった文献に記載されている波形評価式を使用するために当該変電設備の雷インパルス耐電圧試験に適切な雷サージ波形データを解析し、当該見つかった文献に記載されている波形評価式を使用して当該解析結果の雷サージ波形解析データから標準波形換算値を算出し、算出した標準波形換算値を使用して絶縁仕様に規定する標準雷インパルス波形を特定していた。このため、変電設備の絶縁仕様に規定する標準雷インパルス波形を特定する作業には、文献を探したり、雷サージ波形データを解析したり、標準波形換算値を算出したり、標準雷インパルス波形を特定したりする多くの手間や時間がかかっていた。また、もしも、導入する変電設備に使用される絶縁媒体に対応する波形評価式が記載されている文献とは異なる文献に記載されている波形評価式を使用してしまうと、絶縁仕様として誤った標準雷インパルス波形が規定されてしまう可能性があった。
【０００６】
本発明は、このような事情を考慮してなされたものであり、電気機器の絶縁仕様に規定する標準雷インパルス波形を特定する作業の効率化や信頼性の向上を図ることのできる、雷波形評価装置、雷波形評価方法及びコンピュータプログラムを提供することを課題とする。
【課題を解決するための手段】
【０００７】
（１）本発明の一態様は、雷サージ波形から標準雷インパルス波形に換算するための標準波形換算値を算出する波形評価式であって複数の絶縁媒体に各々個別の波形評価式を各絶縁媒体に関連付けて記憶する波形評価式記憶部と、雷サージ波形の入力データを受付ける波形入力受付部と、ユーザーが絶縁媒体を選択するための絶縁媒体選択メニューを提示する絶縁媒体選択メニュー提示部と、前記波形評価式記憶部に記憶される複数の波形評価式の中から、前記絶縁媒体選択メニューから選択された絶縁媒体に関連付けられた波形評価式を選択する波形評価式選択部と、前記波形評価式選択部が選択した波形評価式を使用して前記雷サージ波形の入力データから標準波形換算値を算出する波形評価部と、前記雷サージ波形の入力データから算出された標準波形換算値に基づいた評価結果を出力する評価結果出力部と、を備える雷波形評価装置である。
（２）本発明の一態様は、前記絶縁媒体選択メニューから選択された絶縁媒体が正しいか否かをユーザーに確認する絶縁媒体確認部、をさらに備える上記（１）の雷波形評価装置である。
（３）本発明の一態様は、前記評価結果出力部は、前記雷サージ波形の入力データから算出された標準波形換算値に基づいた電気機器の絶縁仕様の評価結果を出力する、上記（１）又は（２）の雷波形評価装置である。
（４）本発明の一態様は、前記評価結果出力部は、電気機器の絶縁仕様の標準雷インパルス波形の規格値の一覧の中から、前記雷サージ波形の入力データから算出された標準波形換算値が適用された標準雷インパルス波形よりも一段階高性能の規格値を推奨値として出力する、上記（３）の雷波形評価装置である。
（５）本発明の一態様は、前記波形評価部は、複数の電界利用率毎に前記雷サージ波形の入力データから標準波形換算値を算出し、前記評価結果出力部は、各電界利用率の標準波形換算値に基づいた各評価結果の比較データを出力する、上記（１）から（４）のいずれかの雷波形評価装置である。
【０００８】
（６）本発明の一態様は、雷サージ波形から標準雷インパルス波形に換算するための標準波形換算値を算出する波形評価式であって複数の絶縁媒体に各々個別の波形評価式を各絶縁媒体に関連付けて記憶する波形評価式記憶ステップと、雷サージ波形の入力データを受付ける波形入力受付ステップと、ユーザーが絶縁媒体を選択するための絶縁媒体選択メニューを提示する絶縁媒体選択メニュー提示ステップと、前記波形評価式記憶ステップで記憶された複数の波形評価式の中から、前記絶縁媒体選択メニューから選択された絶縁媒体に関連付けられた波形評価式を選択する波形評価式選択ステップと、前記波形評価式選択ステップが選択した波形評価式を使用して前記雷サージ波形の入力データから標準波形換算値を算出する波形評価ステップと、前記雷サージ波形の入力データから算出された標準波形換算値に基づいた評価結果を出力する評価結果出力ステップと、を含む雷波形評価方法である。
【０００９】
（７）本発明の一態様は、コンピュータに、雷サージ波形から標準雷インパルス波形に換算するための標準波形換算値を算出する波形評価式であって複数の絶縁媒体に各々個別の波形評価式を各絶縁媒体に関連付けて記憶する波形評価式記憶ステップと、雷サージ波形の入力データを受付ける波形入力受付ステップと、ユーザーが絶縁媒体を選択するための絶縁媒体選択メニューを提示する絶縁媒体選択メニュー提示ステップと、前記波形評価式記憶ステップで記憶された複数の波形評価式の中から、前記絶縁媒体選択メニューから選択された絶縁媒体に関連付けられた波形評価式を選択する波形評価式選択ステップと、前記波形評価式選択ステップが選択した波形評価式を使用して前記雷サージ波形の入力データから標準波形換算値を算出する波形評価ステップと、前記雷サージ波形の入力データから算出された標準波形換算値に基づいた評価結果を出力する評価結果出力ステップと、を実行させるためのコンピュータプログラムである。
【発明の効果】
【００１０】
本発明によれば、電気機器の絶縁仕様に規定する標準雷インパルス波形を特定する作業の効率化や信頼性の向上を図ることができるという効果が得られる。
【図面の簡単な説明】
【００１１】
【図１】一実施形態に係る雷波形評価装置の構成例を示すブロック図である。
【図２】一実施形態に係る波形評価式記憶部１４の構成例を示す図である。
【図３】一実施形態に係る雷波形評価方法の手順の一例を示すフローチャートである。
【図４】一実施形態に係る評価結果の一例を示すグラフ図である。
【発明を実施するための形態】
【００１２】
以下、図面を参照し、本発明の実施形態について説明する。
図１は、一実施形態に係る雷波形評価装置の構成例を示すブロック図である。図１において、雷波形評価装置１は、波形入力受付部１１と、波形評価部１２と、評価結果出力部１３と、波形評価式記憶部１４と、絶縁媒体選択メニュー提示部１５と、波形評価式選択部１６と、絶縁媒体確認部１７とを備える。
【００１３】
雷波形評価装置１の各機能は、雷波形評価装置１がＣＰＵ（Central Processing Unit：中央演算処理装置）及びメモリ等のコンピュータハードウェアを備え、ＣＰＵがメモリに格納されたコンピュータプログラムを実行することにより実現される。なお、雷波形評価装置１として、汎用のコンピュータ装置を使用して構成してもよく、又は、専用のハードウェア装置として構成してもよい。例えば、雷波形評価装置１は、インターネット等の通信ネットワークに接続されるサーバコンピュータを使用して構成されてもよい。また、雷波形評価装置１の各機能はクラウドコンピューティングにより実現されてもよい。また、雷波形評価装置１として、例えばＷＷＷシステム等を利用してウェブサイトを開設するように構成してもよい。
【００１４】
波形入力受付部１１は、雷サージ波形の入力データＡを受付ける。雷サージ波形の入力データＡは、雷サージ波形を示す波形データである。
【００１５】
波形評価部１２は、波形評価式選択部１６から通知される波形評価式を使用して、波形入力受付部１１が受付けた雷サージ波形の入力データＡから標準波形換算値を算出する。標準波形換算値は、雷サージ波形から標準雷インパルス波形に換算するための換算値である。波形評価式は、雷サージ波形から標準雷インパルス波形に換算するための標準波形換算値を算出する演算式である。
【００１６】
評価結果出力部１３は、波形入力受付部１１が受付けた雷サージ波形の入力データＡから算出された標準波形換算値に基づいた評価結果Ｂを出力する。評価結果Ｂは、例えば、標準波形換算値や、標準波形換算値に基づいた電気機器の絶縁仕様の標準雷インパルス波形の規格値の推奨値などである。
【００１７】
波形評価式記憶部１４は、複数の絶縁媒体に各々個別の波形評価式を各絶縁媒体に関連付けて記憶する。図２は、本実施形態に係る波形評価式記憶部１４の構成例を示す図である。図２の構成例では、四つの絶縁媒体「油」、「六フッ化硫黄（ＳＦ６）ガス」、「二酸化炭素（ＣＯ２）ガス」、「窒素（Ｎ２）ガス」について、各々個別の波形評価式「波形評価式＿油」、「波形評価式＿ＳＦ６」、「波形評価式＿ＣＯ２」、「波形評価式＿Ｎ２」が各絶縁媒体「油」、「ＳＦ６ガス」、「ＣＯ２ガス」、「Ｎ２ガス」に関連付けて記憶されている。
【００１８】
絶縁媒体「油」に対応する波形評価式「波形評価式＿油」は、例えば非特許文献１「図８、非標準波形評価法のアルゴリズム」に記載されている。絶縁媒体「ＳＦ６ガス」に対応する波形評価式「波形評価式＿ＳＦ６」は、例えば非特許文献２「図７、非標準波形評価法のアルゴリズム」に記載されている。絶縁媒体「ＣＯ２ガス」に対応する波形評価式「波形評価式＿ＣＯ２」は、例えば非特許文献３「図８、波形評価アルゴリズム」に記載されている。絶縁媒体「Ｎ２ガス」に対応する波形評価式「波形評価式＿Ｎ２」は、例えば非特許文献４「図１２、波形評価アルゴリズム」に記載されている。
【００１９】
なお、図２の構成例では、波形評価式記憶部１４が四つの絶縁媒体「油」、「ＳＦ６ガス」、「ＣＯ２ガス」、「Ｎ２ガス」について各波形評価式「波形評価式＿油」、「波形評価式＿ＳＦ６」、「波形評価式＿ＣＯ２」、「波形評価式＿Ｎ２」を記憶しているが、波形評価式記憶部１４が随時、さらに他の絶縁媒体についてもその波形評価式を追加して記憶してもよい。
【００２０】
絶縁媒体選択メニュー提示部１５は、ユーザーが絶縁媒体を選択するための絶縁媒体選択メニューＣを提示する。絶縁媒体選択メニューＣは、波形評価式記憶部１４に記憶されている複数の絶縁媒体を選択候補としてユーザーに提示し、ユーザーが当該複数の絶縁媒体の選択候補の中から一つの絶縁媒体を選択するように構成される。図２の波形評価式記憶部１４の構成例では、絶縁媒体選択メニューＣは、波形評価式記憶部１４に記憶されている四つの絶縁媒体「油」、「ＳＦ６ガス」、「ＣＯ２ガス」、「Ｎ２ガス」を選択候補としてユーザーに提示し、ユーザーが当該四つの絶縁媒体の選択候補「油」、「ＳＦ６ガス」、「ＣＯ２ガス」、「Ｎ２ガス」の中から一つの絶縁媒体を選択するように構成される。
【００２１】
絶縁媒体選択メニューＣは、ユーザーの端末に表示される。ユーザーは、端末に表示された絶縁媒体選択メニューＣにより、複数の絶縁媒体の選択候補の中から一つの絶縁媒体を選択する。絶縁媒体選択メニュー提示部１５は、ユーザーが選択した絶縁媒体を示す絶縁媒体選択結果Ｄを受け取る。絶縁媒体選択メニュー提示部１５は、絶縁媒体選択結果Ｄを波形評価式選択部１６へ通知する。
【００２２】
波形評価式選択部１６は、波形評価式記憶部１４に記憶される複数の波形評価式の中から、絶縁媒体選択メニューＣから選択された絶縁媒体（絶縁媒体選択結果Ｄに示される絶縁媒体）に関連付けられた波形評価式を選択する。波形評価式選択部１６は、選択した波形評価式を示す波形評価式選択結果を波形評価部１２へ通知する。
【００２３】
例えば、絶縁媒体選択結果Ｄが「ＳＦ６ガス」を示す場合、波形評価式選択部１６は、波形評価式記憶部１４に記憶される「波形評価式＿ＳＦ６」を選択し、選択した「波形評価式＿ＳＦ６」を示す波形評価式選択結果（波形評価式＿ＳＦ６）を波形評価部１２へ通知する。これにより、波形評価部１２は、ユーザーが選択した絶縁媒体「ＳＦ６ガス」に対応する「波形評価式＿ＳＦ６」を波形評価式記憶部１４から取得し、取得した「波形評価式＿ＳＦ６」を使用して雷サージ波形の入力データＡから標準波形換算値を算出する。
【００２４】
絶縁媒体確認部１７は、絶縁媒体選択メニューＣから選択された絶縁媒体が正しいか否かをユーザーに確認する。絶縁媒体確認部１７は、絶縁媒体選択メニュー提示部１５から絶縁媒体選択結果Ｄを受け取る。絶縁媒体確認部１７は、絶縁媒体選択結果Ｄに示される絶縁媒体が正しいか否かをユーザーに確認するための絶縁媒体選択結果確認メニューＥを提示する。絶縁媒体選択結果確認メニューＥは、絶縁媒体選択結果Ｄに示される絶縁媒体を提示し、提示した絶縁媒体が正しいことを承認する「承認ボタン」と、提示した絶縁媒体が誤っておりユーザーが絶縁媒体を再選択する「再選択ボタン」とを有する。
【００２５】
絶縁媒体選択結果確認メニューＥは、ユーザーの端末に表示される。ユーザーは、端末に表示された絶縁媒体選択結果確認メニューＥにより、自己が選択した絶縁媒体（絶縁媒体選択結果確認メニューＥに提示された絶縁媒体）が正しい場合には「承認ボタン」を指定し、一方、自己が選択した絶縁媒体（絶縁媒体選択結果確認メニューＥに提示された絶縁媒体）が誤っている場合には「再選択ボタン」を指定する。絶縁媒体確認部１７は、ユーザーが指定した内容（「承認」又は「再選択」）を示す絶縁媒体確認結果Ｆを受け取る。
【００２６】
絶縁媒体確認部１７は、絶縁媒体確認結果Ｆが「承認」を示す場合、絶縁媒体確認結果「承認」を評価結果出力部１３へ通知する。評価結果出力部１３は、絶縁媒体確認部１７から通知された絶縁媒体確認結果「承認」を評価結果Ｂに含める。これにより、評価結果Ｂは、確かにユーザーが正しく選択した絶縁媒体に対応する波形評価式を使用して算出された標準波形換算値に基づいた評価結果であることが示される。
【００２７】
一方、絶縁媒体確認部１７は、絶縁媒体確認結果Ｆが「再選択」を示す場合、絶縁媒体確認結果「再選択」を絶縁媒体選択メニュー提示部１５へ通知する。絶縁媒体選択メニュー提示部１５は、絶縁媒体確認部１７から絶縁媒体確認結果「再選択」が通知されると、再度、ユーザーが絶縁媒体を選択するための絶縁媒体選択メニューＣを提示する。この絶縁媒体選択メニューＣは、ユーザーの端末に表示される。ユーザー、端末に表示された絶縁媒体選択メニューＣにより、再度、複数の絶縁媒体の選択候補の中から一つの絶縁媒体を選択する。絶縁媒体選択メニュー提示部１５は、再度、ユーザーが選択した絶縁媒体を示す絶縁媒体選択結果Ｄを受け取る。
【００２８】
なお、絶縁媒体確認部１７は、絶縁媒体確認結果Ｆが「承認」を示す場合、絶縁媒体確認結果「承認」を絶縁媒体選択メニュー提示部１５へ通知してもよい。絶縁媒体選択メニュー提示部１５は、絶縁媒体確認部１７から絶縁媒体確認結果「承認」が通知された場合にのみ、絶縁媒体選択結果Ｄを波形評価式選択部１６へ通知してもよい。これにより、ユーザーから絶縁媒体確認結果「承認」が得られた場合にのみ、ユーザーが選択した絶縁媒体に対応する波形評価式が波形評価式選択部１６により選択され、選択された波形評価式を使用した標準波形換算値の算出処理が波形評価部１２により実行される。
【００２９】
次に図３を参照して本実施形態に係る雷波形評価方法を説明する。図３は、本実施形態に係る雷波形評価方法の手順の一例を示すフローチャートである。
【００３０】
ここでは、本実施形態に係る一例として、ユーザーが導入予定の電気機器である変電設備に要求される絶縁仕様を決定する場合を挙げて説明する。変電設備として、例えば油入変圧器（ＯＩＴ）やガス絶縁開閉装置（ＧＩＳ）やガス絶縁変圧器（ＧＩＴ）等が挙げられる。油入変圧器の絶縁媒体は油である。ガス絶縁開閉装置及びガス絶縁変圧器の絶縁媒体はＳＦ６ガスやＣＯ２ガスやＮ２ガス等である。
【００３１】
また、ここでは、本実施形態に係る一例として、雷波形評価装置１とユーザーの端末とが通信回線で接続されており、雷波形評価装置１とユーザーの端末とが通信回線を介してデータを送受する場合を挙げて説明する。
【００３２】
（ステップＳ１）  雷波形評価装置１は、各絶縁媒体の波形評価式を波形評価式記憶部１４に記憶する。例えば、図２に例示されるように、雷波形評価装置１は、四つの絶縁媒体「油」、「ＳＦ６ガス」、「ＣＯ２ガス」、「Ｎ２ガス」について、各々個別の波形評価式「波形評価式＿油」、「波形評価式＿ＳＦ６」、「波形評価式＿ＣＯ２」、「波形評価式＿Ｎ２」を各絶縁媒体「油」、「ＳＦ６ガス」、「ＣＯ２ガス」、「Ｎ２ガス」に関連付けて波形評価式記憶部１４に記憶する。
【００３３】
（ステップＳ２）  雷波形評価装置１は、雷サージ波形の入力データＡを受付ける。ユーザーは、導入予定の変電設備に要求される絶縁仕様を決定するために、当該変電設備の雷インパルス耐電圧試験に適切な雷サージ波形データを雷サージ波形の入力データＡとして端末から雷波形評価装置１へ送信する。雷波形評価装置１の波形入力受付部１１は、ユーザーの端末から送信された雷サージ波形の入力データＡを受信する。
【００３４】
（ステップＳ３）  雷波形評価装置１は、絶縁媒体選択メニューＣをユーザーに提示する。具体的には、雷波形評価装置１の絶縁媒体選択メニュー提示部１５は、絶縁媒体選択メニューＣをユーザーの端末へ送信する。絶縁媒体選択メニューＣは、ユーザーの端末に表示される。
【００３５】
ユーザーは、端末に表示された絶縁媒体選択メニューＣにより、複数の絶縁媒体の選択候補の中から、導入予定の変電設備に使用される絶縁媒体を選択する。ここでは、「ＳＦ６ガス」が選択される場合を例に挙げて以下の説明を行う。絶縁媒体選択メニュー提示部１５は、ユーザーが選択した絶縁媒体「ＳＦ６ガス」を示す絶縁媒体選択結果Ｄ（ＳＦ６ガス）をユーザーの端末から受信する。絶縁媒体選択メニュー提示部１５は、ユーザーの端末から受信した絶縁媒体選択結果Ｄ（ＳＦ６ガス）を絶縁媒体確認部１７へ通知する。
【００３６】
（ステップＳ４）  雷波形評価装置１は、ユーザーに対して絶縁媒体の選択結果の確認を行う。具体的には、雷波形評価装置１の絶縁媒体確認部１７は、絶縁媒体選択メニュー提示部１５から通知された絶縁媒体選択結果Ｄ（ＳＦ６ガス）に示される絶縁媒体「ＳＦ６ガス」が正しいか否かをユーザーに確認するための絶縁媒体選択結果確認メニューＥをユーザーの端末へ送信する。絶縁媒体選択結果確認メニューＥは、ユーザーの端末に表示される。
【００３７】
ユーザーは、端末に表示された絶縁媒体選択結果確認メニューＥにより、自己が選択した絶縁媒体「ＳＦ６ガス」（絶縁媒体選択結果確認メニューＥに提示された絶縁媒体）が正しい場合には「承認ボタン」を指定し、一方、自己が選択した絶縁媒体「ＳＦ６ガス」（絶縁媒体選択結果確認メニューＥに提示された絶縁媒体）が誤っている場合には「再選択ボタン」を指定する。絶縁媒体確認部１７は、ユーザーが指定した内容（「承認」又は「再選択」）を示す絶縁媒体確認結果Ｆをユーザーの端末から受信する。
【００３８】
（ステップＳ５）  ステップＳ４における確認結果（絶縁媒体確認結果Ｆ）が「承認」である場合にはステップＳ６に進む。絶縁媒体確認結果Ｆが「承認」である場合、絶縁媒体確認部１７は、絶縁媒体確認結果「承認」を絶縁媒体選択メニュー提示部１５及び評価結果出力部１３へ通知する。
【００３９】
一方、ステップＳ４における確認結果（絶縁媒体確認結果Ｆ）が「再選択」である場合にはステップＳ３に戻る。絶縁媒体確認結果Ｆが「再選択」である場合、絶縁媒体確認部１７は、絶縁媒体確認結果「再選択」を絶縁媒体選択メニュー提示部１５へ通知する。これにより、再度、ステップＳ３により、絶縁媒体選択メニューＣがユーザーに提示されてユーザーが絶縁媒体を選択し直す。
【００４０】
（ステップＳ６）  雷波形評価装置１は、波形評価式の選択を行う。ここでは、絶縁媒体選択結果Ｄ（ＳＦ６ガス）に対するユーザーの確認結果が「承認」である場合を例に挙げて以下の説明を行う。絶縁媒体選択メニュー提示部１５は、絶縁媒体確認部１７から絶縁媒体確認結果「承認」が通知されると、絶縁媒体選択結果Ｄ（ＳＦ６ガス）を波形評価式選択部１６へ通知する。
【００４１】
波形評価式選択部１６は、絶縁媒体選択メニュー提示部１５から通知された絶縁媒体選択結果Ｄ（ＳＦ６ガス）に示される絶縁媒体「ＳＦ６ガス」に関連付けられた波形評価式記憶部１４内の波形評価式「波形評価式＿ＳＦ６」を選択し、選択した「波形評価式＿ＳＦ６」を示す波形評価式選択結果（波形評価式＿ＳＦ６）を波形評価部１２へ通知する。
【００４２】
（ステップＳ７）  雷波形評価装置１は、波形入力受付部１１がユーザーの端末から受信した雷サージ波形の入力データＡに対して波形評価を行う。具体的には、雷波形評価装置１の波形評価部１２は、波形評価式選択部１６から通知された波形評価式選択結果（波形評価式＿ＳＦ６）に示される波形評価式「波形評価式＿ＳＦ６」を波形評価式記憶部１４から取得し、取得した「波形評価式＿ＳＦ６」を使用して雷サージ波形の入力データＡから標準波形換算値（ＳＦ６）を算出する。標準波形換算値（ＳＦ６）は、「波形評価式＿ＳＦ６」を使用して算出された標準波形換算値である。
【００４３】
標準波形換算値の算出方法の例が非特許文献１−４に記載されている。非特許文献１−４に記載される標準波形換算値の算出方法は、以下の手順１−３である。
（手順１）雷サージ波形の入力データＡの解析を行う（雷サージ波形を振動部分やフラット部分などの波形要素に分解する）。
（手順２）手順１で求められた各波形要素を等価的な標準雷インパルス波形のピーク値に換算する換算値を求める。
（手順３）手順２で求められた各波形要素の換算値のうち最大値を、雷サージ波形の入力データＡに対する標準波形換算値とする。
【００４４】
波形評価部１２は、雷サージ波形の入力データＡから算出した標準波形換算値（ＳＦ６）を評価結果出力部１３へ通知する。
【００４５】
（ステップＳ８）  雷波形評価装置１は、雷サージ波形の入力データＡに対する評価結果Ｂを出力する。具体的には、雷波形評価装置１の評価結果出力部１３は、波形評価部１２から通知された標準波形換算値（ＳＦ６）に基づいた評価結果Ｂをユーザーの端末に送信する。当該評価結果Ｂは、ユーザーの端末に表示される。ユーザーは端末に表示された評価結果Ｂを認識する。
【００４６】
当該評価結果Ｂは、例えば、標準波形換算値（ＳＦ６）や、標準波形換算値（ＳＦ６）に基づいた変電設備の絶縁仕様の標準雷インパルス波形の規格値の推奨値などである。また、評価結果出力部１３は、絶縁媒体確認部１７から通知された絶縁媒体確認結果「承認」を当該評価結果Ｂに含める。これにより、当該評価結果Ｂは、確かにユーザーが正しく選択した絶縁媒体「ＳＦ６ガス」に対応する「波形評価式＿ＳＦ６」を使用して算出された標準波形換算値（ＳＦ６）に基づいた評価結果であることが示される。また、当該評価結果Ｂは、ユーザーが選択した絶縁媒体が「ＳＦ６ガス」であることを明示するものであってもよい。
【００４７】
図４は、本実施形態に係る評価結果の一例を示すグラフ図である。図４のグラフ図において、横軸は時間であり、縦軸は電圧である。なお、図４のグラフ図は説明の便宜上のものである。ここでは、図４のグラフ図が標準波形換算値（ＳＦ６）に基づいた評価結果Ｂのグラフ図であるとして説明する。
【００４８】
図４に示される評価結果Ｂのグラフ図において、波形Ｗは雷サージ波形の入力データＡによる雷サージ波形である。波形Ｗａは、雷サージ波形Ｗのピーク値Ｒａに基づいた標準雷インパルス波形である。波形Ｗｂは、標準波形換算値（ＳＦ６）に基づいた標準雷インパルス波形である。ここで、標準波形換算値（ＳＦ６）は、標準雷インパルス波形Ｗａを標準雷インパルス波形Ｗｂに換算する換算比である。
【００４９】
図４に示される評価結果Ｂのグラフ図によって、ユーザーは、導入予定の変電設備の絶縁仕様に規定する標準雷インパルス波形として、標準波形換算値（ＳＦ６）に基づいた標準雷インパルス波形Ｗｂを容易に認識することができる。また、ユーザーは、雷サージ波形Ｗのピーク値Ｒａに基づいた標準雷インパルス波形Ｗａと、絶縁仕様に規定する標準雷インパルス波形Ｗｂとを容易に比較することができる。
【００５０】
また、評価結果出力部１３は、ユーザーが導入予定の変電設備の絶縁仕様の標準雷インパルス波形の規格値の一覧の中から、雷サージ波形の入力データＡから算出された標準波形換算値（ＳＦ６）が適用された標準雷インパルス波形Ｗｂよりも絶縁性能が一段階高性能の規格値を選択する。変電設備の絶縁仕様の標準雷インパルス波形の規格値の一覧は、予め設定されてもよく、又はユーザーから指定されてもよい。評価結果出力部１３は、当該選択した規格値を、ユーザーが導入予定の変電設備の絶縁仕様の標準雷インパルス波形の規格値の推奨値として評価結果Ｂに含める。これにより、ユーザーは、導入予定の変電設備の絶縁仕様の標準雷インパルス波形の規格値の推奨値を容易に認識することができる。
【００５１】
なお、波形評価部１２は、複数の電界利用率毎に雷サージ波形の入力データＡから標準波形換算値（ＳＦ６）を算出してもよい。電界利用率は、平均電界を最大電界で除した値である。各電界利用率の波形評価式については、非特許文献１−４に記載されている。
【００５２】
評価結果出力部１３は、各電界利用率の標準波形換算値（ＳＦ６）に基づいた各評価結果Ｂの比較データを出力する。例えば、同じグラフ図上に、各電界利用率の標準波形換算値（ＳＦ６）をプロットしたグラフ図を作成して評価結果Ｂに含めてもよい。これにより、ユーザーは、導入予定の変電設備について、各電界利用率に対応する標準波形換算値（ＳＦ６）を容易に認識することができる。
【００５３】
上述した実施形態によれば、波形評価式記憶部１４が雷サージ波形から標準雷インパルス波形に換算するための標準波形換算値を算出する波形評価式であって複数の絶縁媒体に各々個別の波形評価式を各絶縁媒体に関連付けて記憶し、波形入力受付部１１が雷サージ波形の入力データＡを受付け、絶縁媒体選択メニュー提示部１５がユーザーが絶縁媒体を選択するための絶縁媒体選択メニューＣを提示し、波形評価式選択部１６が波形評価式記憶部１４に記憶される複数の波形評価式の中から、絶縁媒体選択メニューＣから選択された絶縁媒体に関連付けられた波形評価式を選択し、波形評価部１２が波形評価式選択部１６が選択した波形評価式を使用して雷サージ波形の入力データＡから標準波形換算値を算出し、評価結果出力部１３が雷サージ波形の入力データＡから算出された標準波形換算値に基づいた評価結果Ｂを出力する。
【００５４】
本実施形態によれば、ユーザーが絶縁媒体選択メニューＣから選択した絶縁媒体に対応する波形評価式を使用して雷サージ波形の入力データＡから標準波形換算値を算出し、当該算出された標準波形換算値に基づいた評価結果Ｂを出力することができる。これにより、電気機器の絶縁仕様に規定する標準雷インパルス波形を特定する作業の効率化や信頼性の向上を図る効果が得られる。例えば、ユーザーが、変電設備等の電気機器の絶縁仕様に規定する標準雷インパルス波形を特定する作業において、電気機器に使用される絶縁媒体に対応する波形評価式が記載されている文献を探したり、雷サージ波形データを解析したり、標準波形換算値を算出したり、標準雷インパルス波形を特定したりする多くの手間や時間を省くことができる。
【００５５】
また、ユーザーが絶縁媒体選択メニューＣから選択した絶縁媒体に対応する波形評価式が自動的に選択されるので、当該絶縁媒体に対応する波形評価式とは異なる波形評価式が使用されることが防止される。これにより、絶縁仕様として誤った標準雷インパルス波形が規定されてしまうことを防ぐ効果が得られる。
【００５６】
さらに、絶縁媒体選択メニューＣから選択された絶縁媒体が正しいか否かをユーザーに確認する絶縁媒体確認部１７を備えることにより、標準波形換算値の算出に使用される波形評価式の正当性を向上させることができる。これは、本実施形態ではユーザーが選択する絶縁媒体に基づいて波形換算値の算出に使用される波形評価式が選択されることから、ユーザーが絶縁媒体を誤って選択することにより誤った波形評価式が標準波形換算値の算出に使用されることを極力防止するという、本実施形態に特有の効果を奏する。
【００５７】
また、評価結果出力部１３が評価結果Ｂとして、雷サージ波形の入力データＡから算出された標準波形換算値に基づいた電気機器の絶縁仕様の評価結果（例えば図４のグラフ図等）を出力することにより、ユーザーが電気機器の絶縁仕様の評価を容易に認識することができる。
【００５８】
また、評価結果出力部１３が評価結果Ｂとして、電気機器の絶縁仕様の標準雷インパルス波形の規格値の一覧の中から、雷サージ波形の入力データＡから算出された標準波形換算値が適用された標準雷インパルス波形よりも一段階高性能の規格値を推奨値として出力することにより、ユーザーが電気機器の絶縁仕様の標準雷インパルス波形の規格値の推奨値を容易に認識することができる。
【００５９】
また、波形評価部１２が複数の電界利用率毎に雷サージ波形の入力データＡから標準波形換算値を算出し、評価結果出力部１３が各電界利用率の標準波形換算値に基づいた各評価結果の比較データを出力することにより、ユーザーが各電界利用率に対応する標準波形換算値を容易に認識することができる。
【００６０】
以上、本発明の実施形態について図面を参照して詳述してきたが、具体的な構成はこの実施形態に限られるものではなく、本発明の要旨を逸脱しない範囲の設計変更等も含まれる。
【００６１】
上述した実施形態は、例えば電力会社や鉄道事業者や工場等の変電設備に適用可能である。また、変電設備以外の電気機器の絶縁仕様を決定する場合にも同様に適用可能である。
【００６２】
また、上述した雷波形評価装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００６３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００６４】
１…雷波形評価装置、１１…波形入力受付部、１２…波形評価部、１３…評価結果出力部、１４…波形評価式記憶部、１５…絶縁媒体選択メニュー提示部、１６…波形評価式選択部、１７…絶縁媒体確認部
【要約】
【課題】電気機器の絶縁仕様に規定する標準雷インパルス波形を特定する作業の効率化や信頼性の向上を図る。
【解決手段】複数の絶縁媒体に各々個別の波形評価式を各絶縁媒体に関連付けて記憶する波形評価式記憶部と、雷サージ波形の入力データを受付ける波形入力受付部と、絶縁媒体選択メニューを提示する絶縁媒体選択メニュー提示部と、波形評価式記憶部に記憶される複数の波形評価式の中から、絶縁媒体選択メニューから選択された絶縁媒体に関連付けられた波形評価式を選択する波形評価式選択部と、波形評価式選択部が選択した波形評価式を使用して雷サージ波形の入力データから標準波形換算値を算出する波形評価部と、雷サージ波形の入力データから算出された標準波形換算値に基づいた評価結果を出力する評価結果出力部と、を備える。
【選択図】図１【図１】
0006828845.tif 000002
【図２】
0006828845.tif 000003
【図３】
0006828845.tif 000004
【図４】
0006828845.tif 000005